Podtech/llm-jp-corpus-v4-ja_patent huggingface dataset:
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
第１チャンバ部および第２チャンバ部を備える加圧チャンバで製造用材料を加圧し、製造する成形品を液状の圧力媒体によって金型内で圧縮する、金型を使う成形品の製造方法において、互いに異なるチャンバ部が一度に１つずつ第１チャンバ部と対になる第２チャンバ部の位置を占め、該チャンバ部はそれぞれ、各チャンバ部を使って製造される製品固有の性質に応じて外見および／または構造が互いに異なることを特徴とする金型を使う成形品の製造方法。
【請求項２】
請求項１に記載の方法において、チャンバ部が一度に１つずつ第１チャンバ部と対になる第２チャンバ部の位置を占め、第２チャンバ部は、積層成形技術、プレス成形技術、真空成形技術、発泡成形技術もしくは注入成形技術、またはこれらの組合せのいずれかを、製造する成形品の製造処理に適用するのに適した手段を備えていることを特徴とする方法。
【請求項３】
請求項１または２に記載の方法において、前記製造する成形品の材料および１または複数の金型要素を前記加圧チャンバに入れた後、該加圧チャンバを成形品の製造に必要な圧力に耐えうるフレーム構体内に嵌め込み、該加圧チャンバを液状の圧力媒体によって加圧することを特徴とする方法。
【請求項４】
請求項１、２または３に記載の方法において、前記製造する成形品の材料および／または該製造する成形品に作用する圧縮圧力の他に、該製造する成形品の材料および／または該製造する成形品には製造工程で必要な前記加圧チャンバの温度も適用し、該温度は、圧力媒体によって、または前記金型要素に連結された加熱手段のいずれかによって発生させることを特徴とする方法。
【請求項５】
前記請求項のいずれかに記載の方法において、前記加圧チャンバの上半体および下半体を前記フレーム構体と加圧チャンバとの間にある液圧式圧縮手段によって互いに対して押圧し、該手段によって生ずる圧力は前記加圧チャンバ内のプロセス圧より大きく、また、密閉を確実にするために、該プロセス圧からの強化圧力を前記加圧チャンバの上半体と下半体の結合面上の密閉手段に送り、該強化圧力は、前記加圧チャンバ内のプロセス圧より大きいことを特徴とする方法。
【請求項６】
前記請求項のいずれかに記載の方法において、低温で溶解する液状の金属または合金を前記圧力媒体として前記加圧チャンバに送ることを特徴とする方法。
【請求項７】
前記請求項のいずれかに記載の方法において、前記加圧チャンバに配設された１または複数の金型要素に製造用材料を入れて、必要なプレスまたは吸引および加熱1回の製造工程で一度に行うことによって、前記１または複数の金型要素内で1回の製造工程で一度に複数の複合構体を製造し、該製造用材料は、例えばプラスチックおよび強化剤を含み、また必要に応じて電子部品、ネジ要素やさまざまな固定用部品などの金属製インサート、さらには補強材およびその他の完成品に必要な要素を含むことを特徴とする方法。
【請求項８】
前記請求項のいずれかに記載の方法において、前記製造する成形品の材料および実質的に薄い構造を有する１または複数の金型要素を前記加圧チャンバに入れた後、該加圧チャンバを前記成形品の製造に必要な圧力に耐えうるフレーム構体内に嵌め込み、その後、前記実質的に薄い構造の金型要素の両側に液状の圧力媒体によって実質的に同じ大きさの圧力を作用させることを特徴とする方法。
【請求項９】
少なくともフレーム構体と、少なくとも第１チャンバ部および第２チャンバ部を備えた加圧チャンバとを含み、金型を使用して成形品を製造する金型装置であって、該装置に必要な液圧を発生させる液圧系を含む金型装置において、前記フレーム構体は収容空間を含み、該収容空間には、加圧チャンバの第１チャンバ部および少なくとも１つの金型要素が設けられた第２チャンバ部を互いに対向するように配設でき、第２チャンバ部は複数のそれぞれ異なるチャンバ部の１つであり、該チャンバ部はそれぞれ、各チャンバ部を使用して製造される製品固有の性質に応じて、外見および／または構造が互いに異なっていることを特徴とする金型装置。
【請求項１０】
請求項９に記載の金型装置において、前記加圧チャンバには、1回につき１つの第２チャンバ部が第１チャンバ部と対をなして含まれ、第２チャンバ部は、積層成形技術、プレス成形技術、真空成形技術、発泡成形技術もしくは注入成形技術、またはこれらの組合せのいずれかを、製造する成形品の製造処理に適用するのに適した手段を備えていることを特徴とする金型装置。
【請求項１１】
請求項９または10に記載の金型装置において、該装置は、前記加圧チャンバの第１チャンバ部および第２チャンバ部を前記フレーム構体の収容空間に押し込んだり該収容空間から引き出したりする手段と、製品の製造時に前記加圧チャンバ内に作用するプロセス圧がもたらす力より大きな力とともに第１チャンバ部および第２チャンバ部を加圧する手段とを含んでいることを特徴とする金型装置。
【請求項１２】
請求項９、10または11に記載の金型装置において、第１チャンバ部および第２チャンバ部のインタフェースは、プロセス圧に接続された圧力増倍器を備えた密閉手段を含み、該密閉手段に作用する密閉圧力は常に、その時点で前記加圧チャンバの与圧空間に行き渡るプロセス圧より高いことを特徴とする金型装置。
【請求項１３】
請求項９ないし12のいずれかに記載の金型装置において、第１チャンバ部内には弾性膜で囲まれた与圧空間があり、第２チャンバ部内には、実質的に固定された金型要素、または前記製品の製造に使用される実質的に薄い金型要素で囲まれる与圧空間のいずれかがあり、該与圧空間または与圧空間は、該装置の前記液圧系に連結されて、前記与圧空間の金型要素の一方の側部または前記金型要素の両側部に前記製品の製造に必要なプロセス圧を送ることを特徴とする金型装置。
【請求項１４】
請求項９ないし13のいずれかに記載の金型装置において、第２チャンバ部は、前記金型の充填中および前記製品の製造中、実質的に薄い金型要素を定位置に担持する手段を含み、該実質的に薄い金型要素は、金属、プラスチック、プラスチック複合材、その他の適した材料、あるいは前記材料を2つ以上組み合わせて作られ、該実質的に薄い金型要素は、同時に製品を製造するための金型を少なくとも１つ以上含んでいることを特徴とする金型装置。
【請求項１５】
請求項９ないし14のいずれかに記載の金型装置において、該装置は、前記圧力媒体および／または前記金型要素を加熱して製造工程で必要な温度を前記製造する製品の材料および／または前記加圧チャンバ内で製造される製品に伝える加熱手段を含み、該加熱手段はその一部または全部が前記加圧チャンバ内側または外側に配されていることを特徴とする金型装置。
【請求項１６】
請求項９ないし15のいずれかに記載の金型装置おいて、該装置の液圧系で使用される圧力媒体は、低温で溶解する液状の金属または合金であることを特徴とする金型装置。
【誤訳訂正書】
【提出日】平成25年5月9日(2013.5.9)
【誤訳訂正１】
【訂正対象書類名】特許請求の範囲
【訂正対象項目名】全文
【訂正方法】変更
【訂正の内容】
【特許請求の範囲】
【請求項１】
流体の流れから酸性ガスを除去するための吸収剤であって、
ａ）少なくとも１つのアミンの水溶液および
ｂ）少なくとも１つの有機ホスホン酸の水溶液
を含み、
この場合ａ）に対するｂ）のモル比は、０．０００５〜０．１の範囲内にある、流体の流れから酸性ガスを除去するための吸収剤。
【請求項２】
ａ）に対するｂ）のモル比は、０．０１〜０．１の範囲内にある、請求項１記載の吸収剤。
【請求項３】
有機ホスホン酸は、式Ｉ
Ｒ−ＰＯ3Ｈ  （Ｉ）
〔式中、Ｒは、場合により無関係にカルボキシ、カルボキサミド、ヒドロキシおよびアミノから選択される、４個までの置換基によって置換されているＣ1〜Ｃ18アルキルを表わす〕で示される有機ホスホン酸、
式ＩＩ
【化１】
2012526648.tif 000001
〔式中、Ｒ’は、ＨまたはＣ1〜Ｃ6アルキルを表わし、Ｑは、Ｈ、ＯＨまたはＮＹ2を表わし、およびＹは、ＨまたはＣＨ2ＰＯ3Ｈ2を表わす〕で示される有機ホスホン酸、
式ＩＩＩ
【化２】
2012526648.tif 000002
〔式中、Ｚは、Ｃ2〜Ｃ6アルキレン、シクロアルカンジイル、フェニレン、またはシクロアルカンジイルまたはフェニレンによって中断されたＣ2〜Ｃ6アルキレンを表わし、Ｙは、ＣＨ2ＰＯ3Ｈ2を表わし、およびｍは、０〜４を表わす〕で示される有機ホスホン酸、
式ＩＶ
Ｒ’’−ＮＹ2  （ＩＶ）
〔式中、Ｒ’’は、Ｃ1〜Ｃ6アルキル、Ｃ2〜Ｃ6ヒドロキシアルキルまたはＹを表わし、およびＹは、ＣＨ2ＰＯ3Ｈ2を表わす〕で示される有機ホスホン酸、またはこれらの２つまたはそれ以上の混合物から選択されている、請求項１または２記載の吸収剤。
【請求項４】
有機ホスホン酸は、１−ヒドロキシエタン−１，１−ジホスホン酸を含む、請求項４記載の吸収剤。
【請求項５】
前記水溶液がさらに
ｃ）少なくとも１つのカルボン酸
を含み、
この場合ａ）に対するｃ）のモル比は、０．０００５〜０．１の範囲内にある、請求項１から４までのいずれか１項に記載の吸収剤。
【請求項６】
アミンは、少なくとも１つのアルカノールアミンを含む、請求項１から５までのいずれか１項に記載の吸収剤。
【請求項７】
アミンは、第三級アミノ基および／または立体障害アミノ基を有するアミンを含む、請求項１から６までのいずれか１項に記載の吸収剤。
【請求項８】
アミンは、第三級アミノ基および／または立体障害アミノ基を有する少なくとも１つのアミンおよび少なくとも１つの活性剤を含む、請求項１から６までのいずれか１項に記載の吸収剤。
【請求項９】
第三級アミノ基を有するアミンは、トリス（２−ヒドロキシエチル）アミン、トリス（２−ヒドロキシプロピル）アミン、トリブタノールアミン、ビス（２−ヒドロキシエチル）−メチルアミン、２−ジエチル−アミノエタノール、２−ジメチルアミノエタノール、３−ジメチルアミノ−１−プロパノール、３−ジエチル−アミノ−１−プロパノール、２−ジイソプロピルアミノエタノールおよびＮ，Ｎ−ビス（２−ヒドロキシプロピル）メチルアミンから選択され、および立体障害アミノ基を有するアミンは、２−アミノ−２−メチル−１−プロパノールおよび１−アミノ−２−メチルプロパン−２−オールから選択される、請求項７または８記載の吸収剤。
【請求項１０】
活性剤は、ピペラジン、２−メチルピペラジン、Ｎ−メチル−ピペラジン、ホモピペラジン、ピペリジン、モルホリン、３−メチルアミノプロピルアミンおよび２−（２−アミノエトキシ）エタノールから選択される、請求項８記載の吸収剤。
【請求項１１】
アミンは、少なくとも１つの第一級アミンおよび／または第二級アミンを含む、請求項１から６までのいずれか１項に記載の吸収剤。
【請求項１２】
第一級アミンおよび／または第二級アミンは、２−アミノエタノール、Ｎ，Ｎ−ビス（２−ヒドロキシエチル）アミンおよびＮ，Ｎ−ビス（２−ヒドロキシプロピル）アミンから選択される、請求項１１記載の吸収剤。
【請求項１３】
前記水溶液は、アミン２〜５ｋｍｏｌ／ｍ3を含有する、請求項１から１２までのいずれか１項に記載の吸収剤。
【請求項１４】
流体の流れから酸性ガスを除去するための方法であって、流体の流れを請求項１から１３までのいずれか１項に記載の吸収剤と接触させる、流体の流れから酸性ガスを除去するための方法。
【請求項１５】
硫化水素を選択的に除去するための、請求項１４記載の方法。
【請求項１６】
流体の流れが炭化水素を含有する、請求項１４または１５記載の方法。
【請求項１７】
負荷された吸収剤を、ａ）加熱、ｂ）放圧、ｃ）不活性液体を用いるストリッピング、または前記方法の２つまたは全ての組合せによって再生する、請求項１４から１６までのいずれか１項に記載の方法。
【誤訳訂正２】
【訂正対象書類名】明細書
【訂正対象項目名】００１６
【訂正方法】変更
【訂正の内容】
【００１６】
式ＩＩ
【化１】
2012526648.tif 000003
〔式中、Ｒ’は、ＨまたはＣ1〜Ｃ6アルキルを表わし、Ｑは、Ｈ、ＯＨまたはＮＹ2を表わし、およびＹは、ＨまたはＣＨ2ＰＯ3Ｈ2を表わす〕で示されるホスホン酸、例えば１−ヒドロキシエタン−１，１−ジホスホン酸；
式ＩＩＩ
【化２】
2012526648.tif 000004
〔式中、Ｚは、Ｃ2〜Ｃ6アルキレン、シクロアルカンジイル、フェニレン、またはシクロアルカンジイルまたはフェニレンによって中断されたＣ2〜Ｃ6アルキレンを表わし、Ｙは、ＣＨ2ＰＯ3Ｈ2を表わし、およびｍは、０〜４を表わす〕で示されるホスホン酸、例えばエチレンジアミン−テトラ（メチレンホスホン酸）、ジエチレントリアミン−ペンタ（メチレンホスホン酸）およびビス（ヘキサメチレン）トリアミン−ペンタ（メチレンホスホン酸）；
式ＩＶ
Ｒ’’−ＮＹ2  （ＩＶ）
〔式中、Ｒ’’は、Ｃ1〜Ｃ6アルキル、Ｃ2〜Ｃ6ヒドロキシアルキルまたはＹを表わし、およびＹは、ＣＨ2ＰＯ3Ｈ2を表わす〕で示されるホスホン酸、例えばニトリロ−トリス（メチレンホスホン酸）および２−ヒドロキシエチルイミノビス（メチレンホスホン酸）。
【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
層（Ａ）および層（Ｂ）を含有する多層製品であって、
該層（Ａ）は、耐衝撃性改質ポリアルキル（アルキル）アクリレートを含有すると共に、２５μｍ未満の層厚を有し、および
該層（Ｂ）は、ポリカーボネートを含有し、
該層（Ａ）および該層（Ｂ）の総層厚は２０〜５００μｍである該多層製品。
【請求項２】
物品を製造するための、請求項１に記載の多層製品の使用であって、
該多層製品のポリアルキル（アルキル）アクリレート層（Ａ）は、マンドレル径２０ｍｍ、−３０℃の条件下にて、ＲｏｅｌｌＡｍｓｌｅｒ社製（ＩＦＷ４２０）の機器を装備する落下衝撃試験機を用いて、１３ｋｇの落重にて行うシート貫通試験で測定した結果、ゴム/ガラス転移に関する耐衝撃性の尺度として、２０ｍ/ｓ〜２.６ｍ/ｓの臨界落下速度を有することを特徴とする、該使用。
【請求項３】
請求項１に記載の多層製品を含有する、建築分野および自動車分野における透明窓ガラス。
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
非晶質ターポリマー及び半結晶性ポリマーを含む埋め込み物であって、非晶質ターポリマーがラクチド、グリコリド、及び低Ｔｇモノマーを含み、半結晶性ポリマーがポリ（Ｌ−ラクチド）を含み、非晶質ターポリマーが、半結晶性ポリマーと混合される又は半結晶性ポリマーとブロックコポリマーを形成する、埋め込み物。
【請求項２】
非晶質ターポリマーが、非晶質ターポリマー及び半結晶性ポリマーの総重量（Ｒ）の約５０％以上の重量比（Ｒｔ）を有し、半結晶性ポリマーが、非晶質ターポリマー及び半結晶性ポリマーの総重量の約５０％以下の重量比（Ｒｓ）を有し、Ｒｔ＋Ｒｓ＝１００％である、請求項１の埋め込み物。
【請求項３】
Ｒｓが約１０％〜約２０％である、請求項２の埋め込み物。
【請求項４】
非晶質ターポリマーがポリ（Ｄ，Ｌ−ラクチド−グリコリド−カプロラクトン）（ＰＤＬＧＡＣＬ）であり、カプロラクトンがターポリマー中でモル比約１５％〜約７５％を有する、請求項２の埋め込み物。
【請求項５】
非晶質ターポリマーがポリ（Ｄ，Ｌ−ラクチド−グリコリド−カプロラクトン）（ＰＤＬＧＡＣＬ）であり、カプロラクトンがターポリマー中でモル比約２０％〜約４０％を有する、請求項２の埋め込み物。
【請求項６】
医療装置又は医療装置上のコーティングである、請求項１の埋め込み物。
【請求項７】
ステント又はステント上のコーティングである、請求項２の埋め込み物。
【請求項８】
ステント又はコーティングが生物活性剤をさらに含む、請求項７の埋め込み物。
【請求項９】
生物活性剤が、パクリタキセル、ドセタキセル、エストラジオール、１７−ベータ−エストラジオール、一酸化窒素供与体、スーパーオキシドジスムターゼ、スーパーオキシドジスムターゼ模倣体、４−アミノ−２，２，６，６−テトラメチルピペリジン−１−オキシル（４−アミノ−ＴＥＭＰＯ）、バイオリムス、タクロリムス、デキサメタゾン、デキサメタゾン誘導体、グルココルチコイド、ラパマイシン、ラパマイシン誘導体、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシン、及び４０−Ｏ−テトラゾール−ラパマイシン、４０−エピ−（Ｎ１−テトラゾリル）−ラパマイシン（ＡＢＴ−５７８）、テムシロリムス、デフォロリムス、γ−ヒリダン、クロベタゾール、ピメクロリムス、メシル酸イマチニブ、ミドスタウリン、フェノフィブラート、これらのプロドラッグ、これらのコドラッグ、並びにこれらの組み合わせから選択される、請求項８の埋め込み物。
【請求項１０】
非晶質ターポリマー及び半結晶性ポリマーを含む埋め込み物を形成するステップ
を含む、埋め込み型装置の製作方法であって、
非晶質ターポリマーがラクチド、グリコリド、及びカプロラクトンを含み、
半結晶性ポリマーが（Ｌ−ラクチド）を含み、
非晶質ターポリマーが、半結晶性ポリマーと混合される又は半結晶性ポリマーとブロックコポリマーを形成する方法。
【請求項１１】
非晶質ターポリマーが、非晶質ターポリマー及び半結晶性ポリマーの総重量（Ｒ）の約５０％以上の重量比（Ｒｔ）を有し、半結晶性ポリマーが、非晶質ターポリマー及び半結晶性ポリマーの総重量の約５０％以下の重量比（Ｒｓ）を有し、Ｒｔ＋Ｒｓ＝１００％である、請求項１０の方法。
【請求項１２】
Ｒｓが約１０％〜約２０％である、請求項１１の方法。
【請求項１３】
非晶質ターポリマーがポリ（Ｄ，Ｌ−ラクチド−グリコリド−カプロラクトン）（ＰＤＬＬＡＧＡＣＬ）であり、カプロラクトンがターポリマー中でモル比約１５％〜約７５％を有する、請求項１１の方法。
【請求項１４】
非晶質ターポリマーがポリ（Ｄ，Ｌ−ラクチド−グリコリド−カプロラクトン）（ＰＤＬＬＡＧＡＣＬ）であり、カプロラクトンがターポリマー中でモル比約２０％〜約４０％を有する、請求項１３の方法。
【請求項１５】
ステント又はステント上のコーティングである、請求項１０の方法。
【請求項１６】
ステント又はコーティングが生物活性剤をさらに含む、請求項１５の方法。
【請求項１７】
生物活性剤が、パクリタキセル、ドセタキセル、エストラジオール、１７−ベータ−エストラジオール、一酸化窒素供与体、スーパーオキシドジスムターゼ、スーパーオキシドジスムターゼ模倣体、４−アミノ−２，２，６，６−テトラメチルピペリジン−１−オキシル（４−アミノ−ＴＥＭＰＯ）、バイオリムス、タクロリムス、デキサメタゾン、デキサメタゾン誘導体、グルココルチコイド、ラパマイシン、ラパマイシン誘導体、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシン、及び４０−Ｏ−テトラゾール−ラパマイシン、４０−エピ−（Ｎ１−テトラゾリル）−ラパマイシン（ＡＢＴ−５７８）、テムシロリムス、デフォロリムス、γ−ヒリダン、クロベタゾール、ピメクロリムス、メシル酸イマチニブ、ミドスタウリン、フェノフィブラート、これらのプロドラッグ、これらのコドラッグ、並びにこれらの組み合わせから選択される、請求項１６の方法。
【請求項１８】
非晶質ターポリマー及び半結晶性ポリマーを含むブロックコポリマーであって、非晶質ターポリマーがラクチド、グリコリド、及びカプロラクトンを含み、半結晶性ポリマーがポリ（Ｌ−ラクチド）を含む、ブロックコポリマー。
【請求項１９】
非晶質ターポリマーが、非晶質ターポリマー及び半結晶性ポリマーの総重量（Ｒ）の約５０％以上の重量比（Ｒｔ）を有し、半結晶性ポリマーが、非晶質ターポリマー及び半結晶性ポリマーの総重量の約５０％以下の重量比（Ｒｓ）を有し、Ｒｔ＋Ｒｓ＝１００％である、請求項１８のブロックコポリマー。
【請求項２０】
Ｒｓが約１０％〜約２０％である、請求項１９のブロックコポリマー。
【請求項２１】
カプロラクトンがターポリマー中でモル比約１５％〜約７５％を有する、請求項１９のブロックコポリマー。
【請求項２２】
カプロラクトンがターポリマー中でモル比約２０％〜約４０％を有する、請求項２１のブロックコポリマー。
【請求項２３】
請求項９に記載の埋め込み物を含む埋め込み型医療を患者に埋め込むステップを含む、血管の病状を治療、予防、又は改善する方法であって、血管の病状が、再狭窄、アテローム性動脈硬化、血栓症、出血、血管の解離若しくは穿孔、血管動脈瘤、不安定プラーク、慢性完全閉塞、跛行、吻合部増殖（静脈及び人工グラフトの）、胆管閉塞、尿管閉塞、腫瘍閉塞、又はこれらの組み合わせから選択される方法。
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
カプロラクトン、グリコリド及び第３のモノマーを含むターポリマーを含む層を含むコーティングを備える埋め込み型装置であって、
ターポリマーが、カプロラクトンが約２０％以上、及びグリコリドが約１０％以上であるモル組成を有し、
コーティングが、約５ミクロン以下の厚さを有し、そして、埋め込み型装置の配置後６カ月の期間内に、コーティングが約８０％以上の質量損失を有する分解又は吸収速度を有する、埋め込み型装置。
【請求項２】
第３のモノマーがラクチドである、請求項１に記載の埋め込み型装置。
【請求項３】
ラクチドがＤ，Ｌ−ラクチド、ラセミＤ，Ｌ−ラクチド、Ｄ−ラクチド、又はＬ−ラクチドである、請求項２に記載の埋め込み型装置。
【請求項４】
ターポリマーが３７℃未満のガラス転移温度（Ｔｇ）を有する、請求項１に記載の埋め込み型装置。
【請求項５】
ターポリマーが３７℃未満のＴｇを有する、請求項３に記載の埋め込み型装置。
【請求項６】
コーティングが生分解性非晶質ポリマーを含むプライマーをさらに含む、請求項１に記載の埋め込み型装置。
【請求項７】
コーティングが生分解性非晶質ポリマーを含むプライマーをさらに含む、請求項３に記載の埋め込み型装置。
【請求項８】
コーティングが生物活性剤をさらに含み、埋め込み型装置が配置されたときに生物活性剤の制御放出を提供する、請求項１に記載の埋め込み型装置。
【請求項９】
コーティングが生物活性剤をさらに含み、埋め込み型装置が配置されたときに生物活性剤の制御放出を提供する、請求項３に記載の埋め込み型装置。
【請求項１０】
コーティングがターポリマーを含む層に生物活性剤をさらに含み、埋め込み型装置が配置されたときに生物活性剤の制御放出を提供する、請求項８に記載の埋め込み型装置。
【請求項１１】
コーティングが、埋め込み型装置の配置後約１００日の期間内に、コーティングが約８０％以上の質量損失を有する分解又は吸収速度を有する、請求項１に記載の埋め込み型装置。
【請求項１２】
ステントである、請求項１に記載の埋め込み型装置。
【請求項１３】
生体吸収性ステントである、請求項１に記載の埋め込み型装置。
【請求項１４】
コーティングがエチレンオキサイド（ＥＴＯ）滅菌又はｅビーム処理後に完全性を維持する、請求項１に記載の埋め込み型装置。
【請求項１５】
コーティングが埋め込み型装置の配置後１００日又は１８０日以内に約１００％の質量損失を有する、請求項１に記載の埋め込み型装置。
【請求項１６】
生物活性剤が、パクリタキセル、ドセタキセル、エストラジオール、１７−ベータ−エストラジオール、一酸化窒素供与体、スーパーオキシドジスムターゼ、スーパーオキシドジスムターゼ模倣体、４−アミノ−２，２，６，６−テトラメチルピペリジン−１−オキシル（４−アミノ−ＴＥＭＰＯ）、バイオリムス、タクロリムス、デキサメタゾン、デキサメタゾン誘導体、グルココルチコイド、ラパマイシン、ラパマイシン誘導体、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシン、及び４０−Ｏ−テトラゾール−ラパマイシン、４０−エピ−（Ｎ１−テトラゾリル）−ラパマイシン（ＡＢＴ−５７８）、テムシロリムス、デフォロリムス、γ−ヒリダン、クロベタゾール、ピメクロリムス、メシル酸イマチニブ、ミドスタウリン、フェノフィブラート、これらのプロドラッグ、これらのコドラッグ、並びにこれらの組合せから選択される、請求項８に記載の埋め込み型装置。
【請求項１７】
生物活性剤が、パクリタキセル、ドセタキセル、エストラジオール、１７−ベータ−エストラジオール、一酸化窒素供与体、スーパーオキシドジスムターゼ、スーパーオキシドジスムターゼ模倣体、４−アミノ−２，２，６，６−テトラメチルピペリジン−１−オキシル（４−アミノ−ＴＥＭＰＯ）、バイオリムス、タクロリムス、デキサメタゾン、デキサメタゾン誘導体、グルココルチコイドラパマイシン、ラパマイシン誘導体、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシン、及び４０−Ｏ−テトラゾール−ラパマイシン、４０−エピ−（Ｎ１−テトラゾリル）−ラパマイシン（ＡＢＴ−５７８）、テムシロリムス、デフォロリムス、γ−ヒリダン、クロベタゾール、ピメクロリムス、メシル酸イマチニブ、ミドスタウリン、フェノフィブラート、これらのプロドラッグ、これらのコドラッグ、並びにこれらの組合せから選択される、請求項９に記載の埋め込み型装置。
【請求項１８】
請求項１〜１７、１９及び２０に規定のコーティングを形成するステップを含む請求項１〜１７、１９及び２０に記載の埋め込み型装置を製作する方法。
【請求項１９】
血管の病状が、再狭窄、アテローム性動脈硬化、血栓症、出血、血管の解離若しくは穿孔、血管動脈瘤、不安定プラーク、慢性完全閉塞、跛行、吻合部増殖（静脈及び人工グラフトの）、胆管閉塞、尿管閉塞、腫瘍閉塞、又はこれらの組合せから選択される血管の病状を治療、予防、又は改善するために使用される、請求項１に記載の埋め込み型装置。
【請求項２０】
生分解性非晶質ポリマーが、非晶質ポリ（Ｄ，Ｌ−ラクチド）（ＰＤＬＡ）、３０モル％以上のＤ，Ｌ−ラクチド含量を有する非晶質ポリ（Ｌ−ラクチド−ｃｏ−Ｄ，Ｌ−ラクチド）（ＰＬＬＬＡ）、１０〜５０モル％のグリコリド含量を有する非晶質ポリ（Ｄ，Ｌ−ラクチド−ｃｏ−グリコリド）（ＰＤＬＧＡ）、７０モル％以下のＬ−ラクチド含量を有する非晶質ポリ（Ｌ−ラクチド−ｃｏ−グリコリド）（ＰＬＬＧＡ）、７０モル％以下のグリコリド含量を有する非晶質ポリ（グリコリド−ｃｏ−カプロラクトン）（ＰＧＡＣＬ）、７０モル％以下のカプロラクトン含量を有する非晶質ポリ（Ｄ，Ｌ−ラクチド−ｃｏ−カプロラクトン）（ＰＤＬＡＣＬ）、７０モル％を下回るが３０モル％を上回るＬ−ラクチド含量を有する非晶質ポリ（Ｌ−ラクチド−ｃｏ−カプロラクトン）（ＰＬＬＡＣＬ）、並びに、グリコリド、Ｄ，Ｌ−ラクチド、及び／又はＬ−ラクチドを有する炭酸トリメチレンの非晶質コポリマーからなる群より選択される、請求項６又は７に記載の埋め込み型装置。
【手続補正書】
【提出日】平成25年4月26日(2013.4.26)
【手続補正１】
【補正対象書類名】明細書
【補正対象項目名】０１３５
【補正方法】変更
【補正の内容】
【０１３５】
表８は、３枚のフィルムのＣＴＥ結果を示す。
【表８】
2012526688.tif 000001
【手続補正２】
【補正対象書類名】明細書
【補正対象項目名】０１３６
【補正方法】変更
【補正の内容】
【０１３６】
以上、本発明を要約すると下記の通りである。
１．表面を有する厚さ５００μｍ未満のポリマー複合フィルムの該表面と接着的に接触する導電性金属層を含む多層物品であって、ポリマー複合フィルムが、ポリマーと、表面および該表面に結合した置換フェニルラジカルを有する六方晶窒化ホウ素粒子を含む、上記ポリマー中に分散した複数の表面修飾六方晶窒化ホウ素（ＳＭｈＢＮ）粒子とを含み、置換フェニルラジカルが、構造
【化１３】
2012526688.tif 000002
（式中、ＸはＮＨ２−、ＨＯ−、Ｒ２ＯＣ（Ｏ）−、Ｒ２Ｃ（Ｏ）Ｏ−、ＨＳＯ３−、ＮＨ２ＣＯ−、ハロゲン、アルキルおよび置換または未置換アリールから選択されるラジカルであり；Ｒ１がアルキルまたはアルコキシであり、Ｒ２が水素、アルキルまたは置換ま
たは未置換アリールである）により表わされる、上記多層物品。
２．Ｒ１が水素であり、ＸがＮＨ２−である、上記１に記載の多層物品。
３．Ｒ１が水素であり、ＸがＨＯ−である、上記１に記載の多層物品。
４．ポリマーがポリイミドである、上記１に記載の多層物品。
５．ポリマーが硬化エポキシ樹脂組成物である、上記１に記載の多層物品。
６．ＳＭｈＢＮ粒子が、０．５〜５０μｍの範囲内の粒子径を有する、上記１に記載の多層物品。
７．ＳＭｈＢＮの濃度が３０〜７０質量％である、上記６に記載の多層物品。
８．導電性金属層が銅である、上記１に記載の多層物品。
９．導電性金属層が離散的導電性経路の形をしている、上記１に記載の多層物品。
１０．表面を有する厚さ５００μｍ未満のポリマー複合体フィルムの該表面上に導電性金属層を配列するステップと、続いて圧力または圧力および熱の組合せを印加してそれらの間で結合を生じさせるステップとを含む方法であって、ポリマー複合フィルムが、ポリマーと、表面および該表面に結合した置換フェニルラジカルを有する六方晶窒化ホウ素粒子を含む、上記ポリマー中に分散した複数の表面修飾六方晶窒化ホウ素粒子とを含み、置換フェニルラジカルが、構造
【化１４】
2012526688.tif 000003
（式中、ＸはＮＨ２−、ＨＯ−、Ｒ２ＯＣ（Ｏ）−、Ｒ２Ｃ（Ｏ）Ｏ−、ＨＳＯ３−、ＮＨ２ＣＯ−、ハロゲン、アルキルおよび置換または未置換アリールから選択されたラジカルであり；Ｒ１がアルキルまたはアルコキシであり、Ｒ２が水素、アルキルまたは置換または未置換アリールである）により表わされる、上記方法。
１１．Ｒ１が水素であり、ＸがＮＨ２−である、上記１０に記載の方法。
１２．Ｒ１が水素であり、ＸがＨＯ−である、上記１０に記載の方法。
１３．ポリマーがポリアミド酸である、上記１０に記載の方法。
１４．ポリマーが未硬化エポキシ樹脂組成物である、上記１０に記載の方法。
１５．ＳＭｈＢＮの粒子径が、０．５〜５０μｍの範囲内にある、上記１０に記載の方法。
【手続補正３】
【補正対象書類名】特許請求の範囲
【補正対象項目名】全文
【補正方法】変更
【補正の内容】
【特許請求の範囲】
【請求項１】
表面を有する厚さ５００μｍ未満のポリマー複合フィルムの該表面と接着的に接触する導電性金属層を含む多層物品であって、ポリマー複合フィルムが、ポリマーと、表面および該表面に結合した置換フェニルラジカルを有する六方晶窒化ホウ素粒子を含む、上記ポリマー中に分散した複数の表面修飾六方晶窒化ホウ素（ＳＭｈＢＮ）粒子とを含み、置換フェニルラジカルが、構造
【化１】
2012526688.tif 000004
（式中、ＸはＮＨ２−、ＨＯ−、Ｒ２ＯＣ（Ｏ）−、Ｒ２Ｃ（Ｏ）Ｏ−、ＨＳＯ３−、ＮＨ２ＣＯ−、ハロゲン、アルキルおよび置換または未置換アリールから選択されるラジカルであり；Ｒ１がアルキルまたはアルコキシであり、Ｒ２が水素、アルキルまたは置換または未置換アリールである）により表わされる、上記多層物品。
【請求項２】
表面を有する厚さ５００μｍ未満のポリマー複合体フィルムの該表面上に導電性金属層を配列するステップと、続いて圧力または圧力および熱の組合せを印加してそれらの間で結合を生じさせるステップとを含む方法であって、ポリマー複合フィルムが、ポリマーと、表面および該表面に結合した置換フェニルラジカルを有する六方晶窒化ホウ素粒子を含む、上記ポリマー中に分散した複数の表面修飾六方晶窒化ホウ素粒子とを含み、置換フェニルラジカルが、構造
【化２】
2012526688.tif 000005
（式中、ＸはＮＨ２−、ＨＯ−、Ｒ２ＯＣ（Ｏ）−、Ｒ２Ｃ（Ｏ）Ｏ−、ＨＳＯ３−、ＮＨ２ＣＯ−、ハロゲン、アルキルおよび置換または未置換アリールから選択されたラジカルであり；Ｒ１がアルキルまたはアルコキシであり、Ｒ２が水素、アルキルまたは置換または未置換アリールである）により表わされる、上記方法。
【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
繊維生地と該繊維生地に接合された動物の皮から本質的に構成されたシート生地を備えるブラインド。
【請求項２】
前記シート生地は、皮革である請求項１に記載のブラインド。
【請求項３】
前記皮革は、０．５乃至０．７ｍｍの範囲の厚さを有する請求項２に記載のブラインド。
【請求項４】
前記繊維生地は、織られたものである請求項１乃至３のいずれか１項に記載のブラインド。
【請求項５】
前記繊維生地は、水性ポリウレタンコーティングで被覆されている請求項１乃至４のいずれか１項に記載のブラインド。
【請求項６】
前記繊維生地は、１５０乃至１７０ｇ／ｍ２の範囲の質量を有している請求項１乃至５のいずれか１項に記載のブラインド。
【請求項７】
前記繊維生地は、０．１乃至０．３ｍｍの範囲の厚さを有している請求項１乃至６のいずれか１項に記載のブラインド。
【請求項８】
前記繊維生地及びシート生地は、接着剤で互いに接合されている請求項１乃至７のいずれか１項に記載のブラインド。
【請求項９】
動物の皮から本質的に構成されたシート生地を準備するステップと、
繊維生地を準備するステップと、
前記シート生地と前記繊維生地とを互いに接合するステップとからなることを特徴とするブラインドの製造方法。
【請求項１０】
前記繊維生地にコーティングを塗布するステップをさらに備える請求項９に記載のブラインドの製造方法。
【請求項１１】
前記コーティングは、１５０乃至１７０ｇ／ｍ２の範囲の割合で塗布されている請求項１０に記載のブラインドの製造方法。
【請求項１２】
前記シート生地及び前記繊維生地は、ホットメルト接着剤で互いに接合されている請求項９乃至１１のいずれか１項に記載のブラインドの製造方法。
【請求項１３】
前記接着剤は、フィルムまたはウェブの形態で提供され、
前記フィルムまたはウェブは、２８乃至９０ｇ／ｍ２の範囲の質量を有している請求項１２に記載のブラインドの製造方法。
【請求項１４】
前記フィルムまたはウェブは、前記シート生地と前記繊維生地との間にはさまれて積層材を形成し、該積層材は加熱されたプレス内に配置され、
プレスの一方の面は１７０℃乃至１９０℃の範囲の温度に加熱されており、前記プレスの他方の面は５０℃乃至７０℃の範囲の温度に加熱されている請求項１３に記載のブラインドの製造方法。
【請求項１５】
複数の前記生地は、１０乃至３０秒に亘ってプレス内で少なくとも４Ｎ／ｃｍ２の圧力を受ける請求項１４に記載のブラインドの製造方法。
【手続補正２】
【補正対象書類名】明細書
【補正対象項目名】発明の名称
【補正方法】変更
【補正の内容】
【発明の名称】ブラインド及びブラインドの製造方法
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
少なくとも１つの鋲留めデバイスを使用して組織を修復するための医療装置において、
第１面（１１、２１１）及び第２面（１２、１２’、２１２）を有するグラフト部材（１０、１０’、２１０）と、
前記グラフト部材に結合されていて、前記グラフト部材を組織に固定する鋲留めデバイスの少なくとも一部分を包囲するように構成されている少なくとも１つの保護部材（１４ａ−１４ｄ、１０４、１１４ａ−１１４ｃ、１２４）と、を備えており、
前記保護部材は、内部空間（１７、２１８）を形成するエンクロージャ（１６、２１６）を有する少なくとも１つのポケットを備えており、前記鋲留めデバイスの少なくとも一部分が、前記エンクロージャにより形成される前記内部空間内に展開状態で配置され、
前記エンクロージャのリム（１５）は、前記内部空間の開口側を画定しており、前記開口側は前記グラフト部材の前記第１面に面している、医療装置。
【請求項２】
前記ポケットは、実質的に前記第１面と前記第２面の間の前記グラフト部材内に形成されている、請求項１に記載の医療装置。
【請求項３】
前記ポケットは、２つの側壁（２１５、２１６）と１つの端壁（２１７）を備えている、請求項２に記載の医療装置。
【請求項４】
前記少なくとも１つのポケットは、ドーム形状のエンクロージャを備えており、前記エンクロージャの前記リムが前記グラフト部材の前記第２面に結合されている、請求項１に記載の医療装置。
【請求項５】
複数のポケットが、前記グラフト部材の前記第２面に別々に結合されている、請求項１に記載の医療装置。
【請求項６】
前記複数のポケットは、前記グラフト材料の周囲に沿って離間して配置されている、請求項５に記載の医療装置。
【請求項７】
前記ポケットの前記内部空間の少なくとも一部分は、穿通できる物質（２１９）が充填されている、請求項１に記載の医療装置。
【請求項８】
前記鋲留めデバイス（２０ａ−２０ｄ）の少なくとも１つは、近位展開部材（３５−３７）と遠位展開部材（４５−４７）とを備えており、前記近位展開部材と前記遠位展開部材のそれぞれは、前記展開状態ではフック形状の形態を備え、前記近位展開部材又は前記遠位展開部材の少なくとも一方は、前記鋲留めデバイスが前記展開状態にあるときには、少なくとも部分的に、前記エンクロージャにより形成される前記内部空間内に配置されている、請求項１に記載の医療装置。
【請求項９】
前記少なくとも１つのポケットの前記内部空間は、前記鋲留めデバイスが前記展開状態にあるときには、少なくとも３０％の空き空間を有する体積を備えている、請求項１に記載の医療機器。
【請求項１０】
前記保護部材は、穿通できる材料で形成されている栓からなる、請求項１に記載の医療機器。
【請求項１１】
前記保護部材は、前記グラフト部材の前記第２面より遠位に配置されている少なくとも１つの障壁層を備えている、請求項１に記載の医療機器。
【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
ステントを製造する方法であって：
１時間以上の選択されたアニーリング時間中に、結晶成長なしに、ポリマーチューブのポリマーのガラス転移温度（Ｔｇ）以上の温度範囲において、前記ポリマーチューブをアニーリングするステップであって、アニーリングステップ前の前記ポリマーチューブは結晶度が５％未満である、アニーリングステップと；
前記アニーリングステップ後に、所望の結晶度を得るために、前記結晶度を増加させるように前記ポリマーチューブを加工するステップと；
前記所望の結晶度を得た後に、前記チューブからステントを製造するステップを備える；
方法。
【請求項２】
前記ポリマーチューブのポリマーは、ＰＬＬＡ、ＰＤＬＡ、ＰＧＡ、およびＰＬＧＡからなる群から選択される、
請求項１に記載の方法。
【請求項３】
前記ポリマーチューブのポリマーは、ＰＬＬＡである、
請求項１に記載の方法。
【請求項４】
前記ポリマーチューブは、前記アニーリングステップの前に非晶質である、
請求項１〜請求項３のいずれか１項に記載の方法。
【請求項５】
前記加工するステップは、前記ポリマーチューブの温度を上昇させるステップを有する、
請求項１〜請求項４のいずれか１項に記載の方法。
【請求項６】
前記加工するステップは、前記ポリマーチューブ中に周方向の配向を提供するように、ラジアル方向に前記ポリマーチューブを変形させるステップを有し、
前記ステントは、前記変形させたポリマーチューブから製造される、
請求項１〜請求項５のいずれか１項に記載の方法。
【請求項７】
前記ポリマーチューブのポリマーは、生体吸収性である、
請求項１〜請求項６のいずれか１項に記載の方法。
【請求項８】
前記所望の結晶度は、１０〜５０％である、
請求項１〜請求項７のいずれか１項に記載の方法。
【請求項９】
前記ポリマーチューブの前記アニーリングステップは、Ｔｇ＋５℃〜Ｔｇ＋１５℃の温度範囲で行われる、
請求項１〜請求項８のいずれか１項に記載の方法。
【手続補正書】
【提出日】平成25年5月1日(2013.5.1)
【手続補正１】
【補正対象書類名】特許請求の範囲
【補正対象項目名】全文
【補正方法】変更
【補正の内容】
【特許請求の範囲】
【請求項１】
骨プレートであって、
そこを貫通する骨固定要素のねじ切りされた頭部を固定的に受けるためにねじ切りされ、サイズ調整され、形成され、その上部表面から底部表面まで骨プレートを貫通して伸びる固定穴と、
前記プレートの厚さの少なくとも一部分に貫通するように伸長し、骨プレートの第１の弱体化した部分を画定する固定穴から分離し、前記固定穴の円周の部分の周りに伸びる第１のプレートレリーフと、
を具備する、骨プレート。
【請求項２】
前記第１のプレートレリーフが、骨プレートを貫通して部分的に拡張する凹部であり、前記第１の弱体部分が前記固定穴と前記第１のプレートレリーフとの間にあり、前記第１のプレートリーフが、前記プレートの前記上部表面から所定の深さまで伸び、前記第１のプレートリーフが、前記固定穴と実質的に同心円の部分に沿って延びる、請求項１に記載のプレート。
【請求項３】
前記第１のプレートレリーフが、前記上部表面と前記底部表面とを開けるために、前記プレートの本体を貫通して伸び、前記固定穴を囲むプレートの部分が、お互いから前記第１のレリーフの両端を分離するブリッジ部によってのみ前記プレートの残りの部分に結合するように前記固定穴の演習部分のまわりに伸び、前記ブリッジ部は、前記第１の弱体部分を形成する、請求項１に記載のプレート。
【請求項４】
前記固定穴がねじ切りされ、かつ、前記上部表面におけるその直径が、前記底部表面におけるその直径よりも大きい略円錐形である、請求項１に記載のプレート。
【請求項５】
前記固定穴のたわみの方向を画定するために、前記固定穴から前記第１のプレートレリーフへ伸びるスロットを更に具備する、請求項１に記載のプレート。
【請求項６】
それらの間の前記骨プレートの第２の弱体化した部分を画定するために、前記第１のプレートレリーフから離れた第２のプレートレリーフを更に具備し、前記第１および前記第２のプレートレリーフは、前記固定穴の前記円周部分と隣接し、互いに前記固定穴の反対側の側面に位置し、前記第１および前記第２のプレートレリーフが、前記骨ネジのたわみの方向を画定するために、前記固定穴から伸びるそれぞれの長手方向の穴部をさらに具備する、請求項１に記載のプレート。
【請求項７】
前記固定穴に開いている第３のプレートレリーフを更に備え、前記第３のプレートレリーフは、前記長手方向の穴部へ実質的に平行に、前記穴部の間に伸び、前記第３のプレートレリーフは前記固定穴の中へ向かって開いており、前記固定穴が、所望の方向へ前記骨ネジを動かし、前記固定穴を拡大するために、そこへの前記骨ネジの挿入によって、前記第１および前記第２のプレートレリーフへ圧縮力を及ぼす、請求項６に記載のプレート。
【請求項８】
前記第３のプレートレリーフと反対に配置され、その中にスペーサーを固定的に受けるように構成された第４のプレートレリーフを更に備え、前記第４のプレートレリーフは、その中にスペーサーが挿入されると、外側に向けられる力が前記第３のプレートレリーフへの前記固定穴の移動を増加させる、請求項７に記載のプレート。
【請求項９】
前記ブリッジ部と直径方向に反対方向に前記固定穴を囲む前記プレートの部分内に第１の凹部と、前記第１の凹部に一直線上にある前記第１のプレートレリーフの半径方向に外側壁を形成する前記プレートの部分内に形成される第２の凹部を備え、前記第１および第２の凹部内へのスペーサーの挿入によって、前記固定穴を中立な位置に固定し、前記固定穴のたわみを防止する、請求項４に記載のプレート。
【請求項１０】
前記第１のプレートレリーフと隣接し、前記固定穴の前記円周に沿って前記第１凹部から離れている前記固定穴を囲む前記プレートの部分内に第３の凹部を更に備え、前記第３の凹部は、スペーサーをそこの中に挿入すると、前記固定穴が前記第３の凹部から直径方向に離れる方向に中立な位置から離れるように変更されるように、サイズ調整し、形作られる、請求項９に記載のプレート。
【請求項１１】
前記第１のプレートレリーフと隣接し、前記固定穴の円周の前記周りの前記第１および前記第３の凹部から離れている前記固定穴を囲む前記プレート部分内に第４の凹部を更に備え、前記第４の凹部が、その中にスペーサーを挿入すると、前記固定穴が前記第４の凹部から直径方向に離れる方向に中立な位置から離れるように変更されるように、サイズ調整し、形作られる、請求項１０に記載のプレート。
【請求項１２】
前記第１のプレートレリーフが、そこを囲んで伸長するように形成する前記骨プレートの部分の第２の材料よりもより圧縮性のある第１の材料を具備し、前記第１の材料が、メッシュ状の材料又は前記第２の材料よりも高い気孔率を有する金属のいずれかを有する、請求項１に記載のプレート。
【請求項１３】
骨プレートであって、
前記骨プレートを貫通してそれの上部表面から底部表面へ伸長する骨固定要素と、
前記骨固定要素穴内に回転可能に受け止められた挿入部であって、前記挿入部を貫通して伸びる開口部が、そこを貫通する骨固定要素の頭部を受け止めるようにサイズ調整され、形作られる挿入部と、
前記挿入部の円周部分を囲んで伸長し、前記挿入部の第１の弱体化した部分を画定する前記挿入部の厚さの少なくとも一部分に貫通して伸長する第１のプレートレリーフと、
を具備する、骨プレート。
【請求項１４】
前記第１のプレートレリーフが前記挿入部の前記上部表面からそこに所定の深さまで伸長し、前記第１のプレートレリーフが、前記固定穴と実質的に同心円の部分に沿って伸長し、前記固定穴が、前記挿入部の外周から伸長するフランジを係合するように構成されたその壁の内側へ伸長する溝を具備する、請求項１３に記載のプレート。
【請求項１５】
前記第１のプレートレリーフ固定穴に隣接する前記挿入部が、骨固定要素からの圧力の下に偏向可能な、前記挿入部の弱体化した部分を画定するブリッジ部を形成し、前記プレートが、前記第１のプレートレリーフから前記挿入部の前記開口部まで伸長するスロットを更に備え、前記スロットの方向が、前記開口部のたわみの方向を画定する、請求項１４に記載のプレート。
【請求項１６】
前記挿入部を貫通して伸長する前記開口部が、前記上部表面におけるその直径が、前記底部表面におけるその直径よりも大きい、略円錐形である、請求項１３に記載のプレート。
【請求項１７】
前記第１のプレートレリーフが、前記挿入部の周囲の部分を囲んで伸長する溝として形成され、前記第１のプレートレリーフが、前記固定穴の壁上に配置されるフランジを係合するように構成されている、請求項１３に記載のプレート。
【請求項１８】
前記フランジに締めつけるような圧迫を適用するために骨ネジがその中へ挿入される際に、前記挿入部の前記弱体化した部分が、径方向外側に偏向するように構成され、前記挿入部が、前記固定穴に挿入可能な複数の要素から形成される、請求項１７に記載のプレート。
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
骨固定デバイスを骨に固定するためのシステムであって、
近位端におけるヘッドと遠位端の間に延在する可撓性の長尺状要素であって、骨の目標部位のうちの１つおよび骨安定化要素の周囲に巻き付け、安定化させるように構成され、その第１表面から遠位に延在する複数の突起を含み、各突起は近位当接表面を含む、長尺状要素と、
骨固定要素であって、前記ヘッドから遠位の前記長尺状要素の一部をその中に摺動可能に受容するためのサイズおよび形状とされた、前記骨固定要素を通って延在する溝を含み、前記ヘッドを受容し、前記ヘッドが前記溝を通って遠位に引き出されるのを阻止するための形状とされた凹部を含み、前記骨固定要素および前記長尺状要素のうちの１つは、前記近位当接表面のうちの１つと係合するように構成されたタブを含み、前記突起が形成された前記長尺状要素の一部が前記タブに対して近位に動くのを阻止する、骨固定要素と、
を備える、システム。
【請求項２】
前記突起は、ラチェットとして前記タブと摺動可能に係合するための傾斜遠位表面を含み、各突起が、前記突起の対応する前記当接表面と係合するための前記タブを超えて遠位に動くように、前記長尺状要素の前記遠位部の遠位方向への動きが、前記タブを越えて前記突起を引き寄せて、前記長尺状要素の遠位部の新たな最近位位置を画定する、請求項１に記載のシステム。
【請求項３】
前記タブは、骨の目標部位の周囲の動作時構成にある場合に前記溝内に受容される、前記長尺状要素の一部上に形成される、請求項１に記載のシステム。
【請求項４】
前記タブは、前記突起が形成される第２表面の反対側の、前記長尺状要素の長手軸の側面に位置する前記長尺状要素の第１表面上に形成される、請求項３に記載のシステム。
【請求項５】
前記溝は、互いに面する第１表面と第２表面によって互いに隣接する前記長尺状要素の２つ分の厚さを受容するためのサイズとされる、請求項１に記載のシステム。
【請求項６】
前記溝は、前記長尺状要素の近位部がその中に受容される第１内腔と、安定化させる骨の部位の周囲に巻き付けられた後に、前記長尺状要素の遠位部がその中に挿入される第２内腔と、を隔てる仕切りを含む、請求項５に記載のシステム。
【請求項７】
前記仕切りは、そこを通して前記第１表面と前記第２表面が互いに接触する間隙を含む、請求項６に記載のシステム。
【請求項８】
前記骨固定要素は骨プレートおよび係止ブロックを含み、前記係止ブロックは前記骨プレート内の孔内部に結合可能であり、前記溝は前記係止ブロックを通って延在する、請求項１に記載のシステム。
【請求項９】
前記骨固定要素は骨スクリューおよび骨ピンのうちの１つであり、前記溝がそのヘッドを通って延在する、請求項１に記載のシステム。
【請求項１０】
前記骨固定要素は、その周囲に前記長尺状要素が固定される骨固定ロッドを受容するための形状とされた凹部を含む茎スクリューである、請求項１に記載のシステム。
【請求項１１】
骨締結部材を骨に固定するためのデバイスであって、
骨固定要素であって、前記骨締結部材の伸長部をその中に摺動可能に受容するためのサイズおよび形状とされた、前記骨固定要素を通って延在する溝を含み、前記溝の長手軸は、前記骨固定要素の長手軸に対して傾斜しており、前記骨固定要素は、前記骨締結部材の拡大ヘッドを受容するためのサイズおよび形状とされた第１開口部と、前記拡大ヘッドが前記溝を通って前記溝の外部に出るのを阻止するためのサイズおよび形状とされた第２開口部と、を有する凹部を含み、前記溝は、前記骨締結部材が通過する場合に、前記骨締結部材が目標骨の周囲で輪を形成し、前記溝を通って再挿入されるように構成され、前記骨締結部材の近位部は、前記溝内部で前記骨締結部材の遠位部と摩擦係合する、骨固定要素を備える、デバイス。
【請求項１２】
前記溝は、前記骨締結部材の前記近位部をその中に受容する第１内腔と、安定化させる骨の前記目標部位の周囲に巻き付けられた後に、前記骨締結部材の前記遠位部がその中に挿入される第２内腔と、を隔てる仕切りを含む、請求項１１に記載のデバイス。
【請求項１３】
前記骨固定要素は、手術時構成において骨プレート内に挿入可能な係止ブロックを更に備え、前記係止ブロックは、前記係止ブロックの前記骨プレートへの挿入によって、そこを通して挿入される前記骨締結部材の位置を固定できるように構成される、請求項１１に記載のデバイス。
【請求項１４】
前記骨固定要素は骨スクリューおよび骨ピンのうちの１つであり、前記溝がそのヘッドを通って延在する、請求項１１に記載のデバイス。
【請求項１５】
前記骨固定要素は、その周囲に前記長尺状要素が固定される骨固定ロッドを受容するための形状とされた凹部を含む茎スクリューである、請求項１１に記載のデバイス。